(57)【要約】【課題】簡易な構成で、モータにより回転駆動されるファンが送り出す空気の風量の下限よりも少ない排気量にすることを課題とする。【解決手段】排気用吸引口２１と排気口２２が設けられた排気流路２０と、排気流路２０の内部に設けられたファン３０と、ファン３０を回転駆動して室内の空気を排気用吸引口２１から取り込んで排気流路２０に通して排気口２２から排出させるモータ４０と、排気流路２０に設けられて排気流路２０の流路断面積を変更可能であるとともに、同流路断面積を縮小させたときに、排気口２２から排出させる空気の流量を、モータ４０がファン３０を回転駆動可能な回転速度の下限でファン３０を回転駆動するときにファン３０にて送り出される空気の風量よりも少なくさせる流路断面積調節機構６０とを設けた。【選択図】図６
2005090783.tif 000002
【特許請求の範囲】
【請求項１】
室内の空気を連続して室外に排出する常時換気に使用可能なレンジフードであって、
上記室内の空気を取り込むための吸引口が設けられるとともに同取り込まれた空気を上記室外に排出するための排気口が設けられた排気流路と、
この排気流路の内部に設けられたファンと、
このファンを回転駆動して上記室内の空気を上記吸引口から取り込んで上記排気流路に通して上記排気口から排出させるモータと、
上記排気流路に設けられて同排気流路の流路断面積を変更可能であるとともに、同流路断面積を縮小させたときに、上記排気口から排出させる空気の流量を、上記モータが上記ファンを回転駆動可能な回転速度の下限で同ファンを回転駆動するときに同ファンにて送り出される空気の風量よりも少なくさせる流路断面積調節機構とを具備することを特徴とするレンジフード。
【請求項２】
上記モータに通電することにより上記ファンを回転駆動させるとともに同モータへの通電のオンオフを繰り返すことにより同モータの回転速度を常時通電するよりも低い回転速度にさせる回転制御機構が設けられ、
上記流路断面積調節機構は、上記排気流路の流路断面積を縮小させたときに、上記排気口から排出させる空気の流量を、上記回転制御機構により通電のオンオフが繰り返された上記モータが上記ファンを回転駆動可能な回転速度の下限で同ファンを回転駆動するときに同ファンにて送り出される空気の風量よりも少なくさせることを特徴とする請求項１に記載のレンジフード。
【請求項３】
上記流路断面積調節機構は、上記吸引口と上記排気口との少なくとも一方に設けられていることを特徴とする請求項１または請求項２に記載のレンジフード。
【請求項４】
上記流路断面積調節機構は、上記排気流路内で上記空気の通過方向を基準とした角度を変更可能な開閉弁と、この開閉弁の角度を所定の流量減少角度に規制して上記排気流路の流路断面積を縮小させる角度調節機構とを備えることを特徴とする請求項１〜請求項３のいずれかに記載のレンジフード。
【請求項５】
上記角度調節機構は、上記排気流路の内部において位置を変更可能に設けられて上記開閉弁を上記流量減少角度に規制して上記排気流路の流路断面積を縮小させるストッパ部材を備えることを特徴とする請求項４に記載のレンジフード。
【請求項６】
上記開閉弁は、所定の開位置と所定の閉位置との間で上記空気の通過方向を基準とした角度を変更可能とされ、
上記角度調節機構は、上記排気流路の内部に設けられるとともに上記回転駆動されるファンにより流れていく空気の中で上記開閉弁を上記閉位置方向に付勢して上記流量減少角度に規制して上記排気流路の流路断面積を縮小させる付勢部材を備えることを特徴とする請求項５に記載のレンジフード。
【請求項７】
上記開閉弁には、上記排気流路内の空気を通過させるとともに上記室外からの虫の侵入を防ぐフィルタが取り付けられていることを特徴とする請求項４〜請求項６のいずれかに記載のレンジフード。
【請求項８】
室内の空気を室外に排出するレンジフードであって、
上記室内の空気を取り込むための吸引口が設けられるとともに同取り込まれた空気を上記室外に排出するための排気口が設けられた排気流路と、
この排気流路の内部に設けられたファンと、
このファンを回転駆動して上記室内の空気を上記吸引口から取り込んで上記排気流路に通して上記排気口から排出させるモータと、
上記排気流路に設けられるとともに、同排気流路が最も開かれる開位置と、同排気流路が最も閉じられる閉位置と、同開位置と同閉位置との間で上記排気口から排出させる空気の流量を同開位置にあるときの流量よりも少なくさせる流量制限位置と、の間で位置を変更可能な流路断面積調節機構とを具備することを特徴とするレンジフード。
【発明の詳細な説明】
【技術分野】
【０００１】
本発明は、室内の空気を連続して室外に排出することにより室内全体の常時換気に使用可能なレンジフードに関する。
【背景技術】
【０００２】
近年、室内の常時換気（２４時間換気）が行われており、居室（居間）では１００ｍ3／ｈ（あるいは一人当たり３０ｍ3／ｈ）の換気量があれば十分であると言われている。ここで、居室と台所とが繋がった一つの空間となっていることが多くなってきたため、台所に設けられたレンジフードを室内全体の常時換気に用いる検討もされている。
【０００３】
一方、レンジフードのファンの排気量は２００〜５００ｍ3／ｈ程度であり、最も能力の小さい「弱」運転としても排気量が多すぎるという問題がある。これは、モータの鉄心（コア）のサイズに制限があったり、モータの出力を弱くしたときに起動時のトルクが不足したりすること等による。そこで、モータへの通電を制御することにより、排気量１００ｍ3／ｈ程度の「微弱」運転を可能とする検討が行われている（特許文献１，２参照）。ここで、特許文献１に開示されたレンジフードは、一定のサイクルタイムの中でファンを駆動するモータへの通電をオンオフし、通電オフのときモータとファンの慣性により惰性回転させるものである。また、特許文献２に開示されたレンジフードは、「微弱」運転の巻線（コイル）以外の巻線にファン起動に必要な時間だけ通電させてファンを起動させた後「微弱」運転の巻線に通電を切り替えるものである。
【特許文献１】特開平１０−１８５２５４号公報
【特許文献２】特開平１０−２３８８３０号公報
【特許文献３】特開平７−１０３５２６号公報
【特許文献４】特開平６−２５７７８８号公報
【発明の開示】
【発明が解決しようとする課題】
【０００４】
居室の常時換気を、レンジフード以外のその他の換気扇等の機器と組み合わせて行う場合、排気量１００ｍ3／ｈ程度の「微弱」運転でも風量が多すぎることがあり、５０ｍ3／ｈ程度、好ましくは５０ｍ3／ｈ以下の「極弱」運転が望まれている。しかし、上述した技術では、この「極弱」運転を実現することができなかった。
また、特許文献３に開示されたように給気ダンパの開度を調整する換気システムが知られているが、排気量ではなく給気量を調節する技術であり、また、外気を取り込む給気ダンパはファンと一体とはされていないため、上述した課題を解決することはできない。
さらに、特許文献４に開示されたように分岐チャンバー内の分岐口に夫々可変ダンパを取り付けたダクト式空調システムが知られているが、排気量ではなく給気量を調節する技術であり、また、送風ファンの送風量とは無関係に給気量を調節するため、上述した課題を解決することはできない。
【０００５】
本発明は、上記課題にかんがみてなされたもので、モータに対して複雑な通電制御を行う必要なく、簡易な構成で、モータにより回転駆動されるファンが送り出す空気の風量の下限よりも少ない排気量にすることが可能なレンジフードの提供を目的とする。
【課題を解決するための手段】
【０００６】
上記目的を達成するため、請求項１にかかる発明は、室内の空気を取り込むための吸引口が設けられるとともに同取り込まれた空気を室外に排出するための排気口が設けられた排気流路と、この排気流路の内部に設けられたファンと、このファンを回転駆動して上記室内の空気を上記吸引口から取り込んで上記排気流路に通して上記排気口から排出させるモータと、上記排気流路に設けられて同排気流路の流路断面積を変更可能であるとともに、同流路断面積を縮小させたときに、上記排気口から排出させる空気の流量を、上記モータが上記ファンを回転駆動可能な回転速度の下限で同ファンを回転駆動するときに同ファンにて送り出される空気の風量よりも少なくさせる流路断面積調節機構と、から構成してある。
すなわち、流路断面積調節機構により排気流路の流路断面積が縮小されると、排気口から排出される空気の流量は、流路断面積調節機構が設けられていない場合においてモータが回転速度の下限でファンを回転駆動するときに同ファンにて送り出される空気の風量（ファンの送風量）よりも少なくなる。これにより、ファンの送風量の下限よりも排気量を少なくさせることが可能となる。その際、モータに対して複雑な通電制御を行う必要なく、排気流路の断面積を縮小させるという簡易な構成で、従来の排気量の下限よりも少ない排気量にさせることができる。
【０００７】
ここで、モータに通電することにより上記ファンを回転駆動させるとともに同モータへの通電のオンオフを繰り返すことにより同モータの回転速度を常時通電するよりも低い回転速度にさせる回転制御機構を設け、流路断面積調節機構により、排気流路の流路断面積を縮小させたときに、上記排気口から排出させる空気の流量を、上記回転制御機構により通電のオンオフが繰り返された上記モータが上記ファンを回転駆動可能な回転速度の下限で同ファンを回転駆動するときに同ファンにて送り出される空気の風量よりも少なくさせてもよい。モータへの通電のオンオフが繰り返されることにより排気量はある程度少なくなるが、排気流路の流路断面積が縮小されることによりさらに排気量を少なくさせることができる。また、モータへ常時通電されているときに排気流路の流路断面積を縮小させると排気量が少なくなるが、モータへの通電のオンオフが繰り返されることによりさらに排気量を少なくさせることができる。このように、排気流路の流路断面積を縮小させることと、モータへの通電を制御することとの両方を組み合わせることによって、さらに排気量を減少させることが可能となる。
【０００８】
上記流路断面積調節機構は、上記吸引口と上記排気口との少なくとも一方に設けられている構成としてもよい。流路断面積調節機構を含む部分をユニット化しやすくなり、レンジフードに流路断面積調節機構を取り付けやすくなる。ここで、吸引口に流路断面積調節機構を設けると、当該機構を排気口に設けた場合と比べて雨や虫の侵入対策が不要である点で有用である。一方、排気口に流路断面積調節機構を設けると、当該機構を吸引口に設けた場合と比べて室内に響く音が少なくなる点で有用である。
【０００９】
上記流路断面積調節機構は、上記排気流路内で上記空気の通過方向を基準とした角度を変更可能な開閉弁と、この開閉弁の角度を所定の流量減少角度に規制して上記排気流路の流路断面積を縮小させる角度調節機構とを備える構成としてもよい。汎用的な開閉弁を用いるという簡易な構成で、排気流路の流路断面積を変更可能に縮小させることができる。
上記角度調節機構は、様々な構成が考えられ、アクチュエータ等の動力を用いて自動的に開閉弁を所望の位置に制御可能な機構でもよいし、動力を用いずに開閉弁を所望の位置にさせる構造を有する機構でもよい。
【００１０】
上記角度調節機構は、上記排気流路の内部において位置を変更可能に設けられて上記開閉弁を上記流量減少角度に規制して上記排気流路の流路断面積を縮小させるストッパ部材を備えるという、簡易な構造としてもよい。
また、上記開閉弁を、所定の開位置と所定の閉位置との間で上記空気の通過方向を基準とした角度を変更可能とし、上記角度調節機構は、上記排気流路の内部に設けられるとともに上記回転駆動されるファンにより流れていく空気の中で上記開閉弁を上記閉位置方向に付勢して上記流量減少角度に規制して上記排気流路の流路断面積を縮小させる付勢部材を備えるという、簡易な構造としてもよい。
ここで、上記付勢部材は、様々なものが考えられ、ばねやゴム等の弾性部材でもよいし、おもりでもよい。
【００１１】
常時換気になると、開閉弁は少ない排気量であるときでも少し開いた状態となる。そこで、上記開閉弁には、上記排気流路内の空気を通過させるとともに上記室外からの虫の侵入を防ぐフィルタが取り付けられてもよい。このようなフィルタを設けると、虫が室外から排気流路内に入ってもフィルタを通り抜けず、排気流路内における開閉弁の部分を通過しない。
【００１２】
ところで、室内の空気を室外に排出するレンジフードであって、上記排気流路と、ファンと、モータと、上記排気流路に設けられるとともに、同排気流路が最も開かれる開位置と、同排気流路が最も閉じられる閉位置と、同開位置と同閉位置との間で上記排気口から排出させる空気の流量を同開位置にあるときの流量よりも少なくさせる流量制限位置と、の間で位置を変更可能な流路断面積調節機構とを具備する構成としてもよい。流路断面積調節機構が流量制限位置になると、排気口から排出される空気の流量は、流路断面積調節機構が開位置にあるときの流量よりも少なくなる。これにより、ファンの送風量の下限よりも排気量を少なくさせることが可能となる。
なお、請求項８記載の発明と、請求項１〜請求項７記載の発明と組み合わせることも可能である。
【発明の効果】
【００１３】
以上説明したように、請求項１にかかる発明によれば、モータに対して複雑な通電制御を行う必要なく、排気流路の断面積を縮小させるという簡易な構成で、モータにより回転駆動されるファンが送り出す空気の風量の下限よりも少ない排気量にすることが可能となる。
請求項２にかかる発明では、さらに少ない排気量にすることが可能となる。
請求項３にかかる発明では、流路断面積調節機構を含む部分を容易にユニット化することができ、容易に流路断面積調節機構をレンジフードに組み付けることが可能となる。
【００１４】
請求項４にかかる発明では、簡易な構成で、排気流路の流路断面積を変更可能に縮小させることが可能となる。
請求項５、請求項６にかかる発明では、簡易な構造で、開閉弁を所定の流量減少角度に規制することができ、排気量を調節することが可能となる。
請求項７にかかる発明では、より確実に室外から虫の侵入を防ぐことが可能となる。
請求項８にかかる発明では、モータに対して複雑な通電制御を行う必要なく、流路断面積調節機構を流量制限位置にさせるという簡易な構成で、モータにより回転駆動されるファンが送り出す空気の風量の下限よりも少ない排気量にすることが可能となる。
【発明を実施するための最良の形態】
【００１５】
以下、下記の順序に従って本発明の実施の形態について説明する。
（１）レンジフードの構成：
（２）レンジフードの作用：
（３）第二の実施形態：
（４）第三の実施形態：
【００１６】
（１）レンジフードの構成：
図１は本発明の第一の実施形態にかかるレンジフード１０の外観を示す斜視図であり、図２は本レンジフード１０を正面（Ａ１方向）から見て示す断面図であり、図３は本レンジフード１０の電気回路の構成の概略を示す回路図である。なお、図１と図２の両矢印を基準として上下左右の位置関係を説明するが、上下左右前後と記載しても厳密な意味での位置関係のみならず、誤差等を含めた位置関係を含むものとする。
本レンジフード１０は、例えばステンレスにて形成されたフードカバー１１に運転切替スイッチ５２等が取り付けられるとともに、同フードカバー１１内に、フィルタ１２、排気流路２０、ファン３０、モータ４０、回転制御機構５０、流路断面積調節機構６０、等が設けられている。運転切替スイッチ５２を切り替えることにより、空気の排気量設定を例えば５００ｍ3／ｈ程度の「強」、３５０ｍ3／ｈ程度の「中」、１００ｍ3／ｈ程度の「微弱」、５０ｍ3／ｈ程度の「極弱」のいずれかに変更することが可能である。以下、単に「極弱」等と記載したときには対応する排気量設定を指すものとする。
【００１７】
フードカバー１１の下部前側には下方に向かって開口した下部開口１１ａが形成され、この下部開口１１ａの後側縁部から前方上向きにフィルタ１２が配設されている。このフィルタ１２は、室内の浮遊粒子等を除去するために用いられる。同下部開口１１ａは室内側に設けられ、本実施形態においてレンジフード１０の左側面上側とされた排気口２２が室外に面して設けられている。室内の空気は、下部開口１１ａから吸い込まれ、フィルタ１２、排気流路２０を通って、室外へ排出されることになる。本レンジフード１０は、台所や厨房の局所排気用として設置されるものであるが、室内の空気を連続して室外に排出することにより、台所や厨房と繋がった室内全体の常時換気に使用することが可能である。
【００１８】
排気流路２０は、例えばステンレス製とされ、筒状に形成されている。この排気流路２０は、室内の空気を取り込むための吸引口２１が室内側に設けられるとともに、取り込まれた空気を室外に排出するための排気口２２が室外側に設けられている。この排気流路２０の内部には、吸引口２１側において、ファン３０が設けられている。本実施形態のファン３０は、回転する羽根車３１を有して同羽根車３１の回転軸３２方向（後方向）へ吸い込んで同羽根車３１の径方向外側に送り出す遠心ファンであり、いわゆるシロッコファンが用いられている。羽根車は、前向き羽根、後向き羽根、径向き羽根のいずれでもよい。むろん、軸流ファン等、様々なファンを採用可能である。
【００１９】
モータ４０は、ファン３０の回転軸３２に接続されており、ファン３０を回転駆動することにより、室内の空気を吸引口２１から取り込んで排気流路２０に通して排気口２２から室外へ排出させる。すなわち、フィルタ１２を通過した室内の空気は、後方向に向かって円形の吸引口２１から排気流路２０内に流入し、ファン３０の径方向外側へ移動しながら回転部２０ａ内を図２において右回りに回転し、回転部２０ａの上部左側に繋がる円筒状の上昇部２０ｂ内を上昇し、方向転換部２０ｃにて方向転換して水平部２０ｄ内を左方へ移動し、排気口２２に設けられた流路断面積調節機構６０内をさらに左方へ移動して排気口２２から室外へ排出されるようになっている。
【００２０】
図３に示すように、回転制御機構５０は、回転制御回路５１、運転切替スイッチ５２、等から構成され、商用交流電源（ＡＣ１００Ｖ）を用いてモータ４０に通電することによりファン３０を回転駆動させる。また、モータ４０への通電率を制御することにより同モータ４０の回転速度を常時通電するよりも低い回転速度にさせることが可能である。モータ４０には、「強」、「中」、「微弱」のそれぞれに対応する速度調節のタップ４１，４２，４３が設けられ、各タップ４１，４２，４３は運転切替スイッチ５２の各接点５２ａ，ｂ，ｃに接続されている。なお、モータ４０には、各タップに対応する巻線が設けられており、各巻線の一端がそれぞれのタップに接続されている。また、「微弱」用のタップ４３は回転制御回路５１の接続部「３」にも接続されているとともに、同回転制御回路５１の接続部「１」が運転切替スイッチ５２の接点５２ｄに接続されている。
【００２１】
運転切替スイッチ５２は、機械的オンオフ接点を有する押ボタンスイッチが複数設けられ、「強」、「中」、「微弱」、「極弱」に対応する各押ボタンスイッチはプッシュロック動作の機能（押されると押された状態に保持して回路を導通させる機能）を有するメカスイッチであり、「切」に対応する押ボタンスイッチはモーメンタリ動作の機能（押された後に押圧力が解除されると押されていない初期状態に戻る機能）を有するメカスイッチである。ここで、ある押ボタンスイッチが押された状態となっているときに当該押ボタンスイッチとは異なる押ボタンスイッチが押圧操作されると押された状態とされていた押ボタンスイッチは押されていない初期状態に戻るようにされており、押ボタンスイッチは一つしか押された状態に保持されないようになっている。そして、押された状態の押ボタンスイッチに対応して排気量が設定される。なお、常時換気専用として「切」に対応する押ボタンスイッチを省略することも可能である。
ここで、排気量設定が「微弱」にされると、モータ４０はファン３０を回転駆動可能な回転速度の下限でファン３０を回転駆動する。
【００２２】
なお、運転切替スイッチに他のスイッチを用いてもよい。例えば、運転切替スイッチにメンブレムスイッチ等のソフトスイッチを用いることができる。この場合でも、図３に示した回路と同様の回路により回転制御機構を構成することができる。また、別のスイッチとしてロータリスイッチを用いる場合、共通の入力部に商用交流電源の配電線の一方（図３では５３ａ）を接続し、個別の各出力部に各タップ（４１〜４３）と回転制御回路（５１）とに接続すればよい。むろん、リレースイッチ、アナログスイッチを用いた切替回路、デジタル回路を用いた切替回路、等を採用してもよい。
【００２３】
回転制御回路５１には、例えば特開平１０−１８５２５４号公報に開示された風量調節ユニットを利用することができる。図４に示すように、回転制御回路５１では、「極弱」の押ボタンスイッチが押された状態にされると、タイマＩＣ１によって任意に設定したタイミングで電子スイッチＴＲＣ１をオンオフすることにより、配電線５３ａ，ｂを流れる交流の導通遮断を繰り返し、モータ４０への通電のオンオフを繰り返す。ここで、抵抗器ＲＡ，ＲＢの抵抗値（ＲＡ，ＲＢとする）を変更することにより、電子スイッチＴＲＣ１のオンオフのタイミングを調節することができる。コンデンサＣ４の静電容量をＣ４とすると、電源の交流を導通遮断させるサイクルタイムは、概略、（ＲＡ＋２×ＲＢ）×Ｃ４／１．４４となる。また、モータ４０への通電オンのデューティ比（１サイクルタイムに対する通電オンの時間の比）は、概略、ＲＢ／（ＲＡ＋２×ＲＢ）となる。
【００２４】
以上の構成により、回転制御回路５１は、モータ４０への通電をオンにしてモータ４０を起動させてファン３０を回転させ、一定時間経過後に通電をオフにしてモータのロータとファンの慣性による惰性でモータ４０の回転駆動とファン３０の回転を継続させる。この動作をサイクルタイム毎に繰り返すことになるが、惰性で回転している間に空気抵抗や摩擦により回転速度が低下するため、ファン３０の送風量を、モータ４０に常時通電されたときのファン３０の送風量より少なくさせることができる。
なお、回転制御回路に他の回路を用いてもよい。例えば特開平１０−１８５２５４号公報に開示されたように、リレーによって交流の導通遮断を行う回路を用いることができる。
また、特開平１０−２３８８３０号公報に開示されたように、「極弱」設定とされたときより高出力となる「中」設定用または「強」設定用のタップに通電してモータによりファンを回転駆動させた後、「極弱」設定用のタップに通電してファンの回転駆動を継続させる回転制御機構を用いてもよい。
むろん、回転制御機構５０を設けずに本発明のレンジフードを構成することもできる。
【００２５】
図５は排気流路２０内に設けられた流路断面積調節機構６０を室外側から見て示す斜視図であり、図６は図５のＡ２方向から見て示す断面図である。各図において、上段は開閉弁６１が所定の開位置Ｌ１にあるときの様子を示してあり、下段は開閉弁６１が所定の流量制限位置Ｌ２にあるときの様子を示している。
排気口２２を形成する排気口形成部材２２ａは、円筒状に形成され、図６において空気が右側から左方向へ通り抜けるようになっている。流路断面積調節機構６０は、排気口形成部材２２ａの内部に設置され、同部材２２ａとともにユニット化されている。流路断面積調節機構６０は、排気流路２０の流路断面積を変更可能であるとともに、同流路断面積を縮小させたときに、排気量を、モータ４０がファン３０を回転駆動可能な回転速度の下限でファン３０を回転駆動するときのファン３０の送風量よりも少なくさせるように構成されている。
なお、流路断面積調節機構を排気口に設けることにより、容易に流路断面積調節機構を含む部分をユニット化することができるので、レンジフードに流路断面積調節機構を組み込みやすくなる。
【００２６】
排気口形成部材２２ａの内側面から空気流路内方向であって空気の通過方向とは垂直な方向に向かって一対の円柱状の軸部材６０ａ，６０ａが突出している。これらの軸部材６０ａ，６０ａの突出方向は、互いに同じ直線上とされている。
開閉弁６１は、例えばステンレス製とされ、本体部６１ａが略円形の板状に形成されている。開閉弁６１には、本体部６１ａから垂直上向きに折り曲げられた一対の凸部６１ｂ，６１ｂが突設されており、これらの凸部６１ｂ，６１ｂにはそれぞれ軸部材６０ａ，６０ａを挿入可能な貫通穴が形成されている。上記開閉弁６１は、凸部６１ｂ，６１ｂにそれぞれ軸部材６０ａ，６０ａが挿入されることにより、排気流路の排気口形成部材２２ａに対して回転可能に支持されている。従って、開閉弁６１は、排気流路２０内で空気の通過方向を基準とした角度（θとする）を変更可能とされており、その結果、排気流路２０の流路断面積（排気流路２０内で空気の通過方向に対して垂直な断面に投影したときの開閉弁６１以外の面積）を変更可能としている。
【００２７】
開閉弁６１は、排気流路が最も開かれる開位置Ｌ１と、排気口から排出させる空気の流量を開位置Ｌ１にあるときの流量よりも少なくさせる流量制限位置Ｌ２と、の間で位置を変更可能とされている。ここで、排気口形成部材２２ａの内側面からは、開閉弁６１を開位置Ｌ１にして同開閉弁６１の角度を所定の流量最大角度θ１に規制する上側のストッパ部材６０ｂが空気の通過方向とは垂直な方向に突設されるとともに、開閉弁６１を流量制限位置Ｌ２にして同開閉弁６１の角度を所定の流量制限角度θ２に規制する下側のストッパ部材６０ｃが空気の通過方向とは垂直な方向に突設されている。そして、開閉弁６１が流量最大角度θ１になると流路断面積は最大（例えば、開閉弁６１が無いときの流路断面積に対して９０％以上の断面積）となり、流路制限角度θ２になると流路断面積は最小（例えば、開閉弁６１が無いときの流路断面積に対して１０〜４０％の断面積）となる。
【００２８】
なお、図６の断面図において、凸部６１ｂから開閉弁６１の空気流出側となる先端部６１ｃまでの距離は、凸部６１ｂから開閉弁６１の空気流入側となる基部６１ｄまでの距離より長くされ、その結果、開閉弁６１における凸部６１ｂから先端部６１ｃまでの部分が凸部６１ｂから基部６１ｄまでの部分より重くされている。従って、空気が流れていないとき、開閉弁６１の重量バランスにより、同開閉弁６１の下面が軸部材６０ａを回転中心として左回りに回転して下側のストッパ部材６０ｃに当接するようになっている。一方、排気流路２０内を流れる空気の流量が多いと、同空気の風圧により開閉弁６１の上面が上側のストッパ部材６０ｂに当接する。本実施形態では、「微弱」以下の排気量で開閉弁６１が下側のストッパ部材６０ｃに接触し、かつ、「中」以上の排気量で開閉弁６１が上側のストッパ部材６０ｂに接触するように凸部６１ｂの位置を決定している。
以上の構成により、開閉弁６１は左回りに回転すると、流量減少角度θ２に規制され、排気流路の流路断面積を縮小させる。すなわち、各部６０ａ〜ｃから角度調節機構が構成され、各部６０ａ〜ｃと開閉弁６１とから流路断面積調節機構６０が構成される。そして、汎用的な開閉弁を用いるという簡易な構成で、排気流路の流路断面積が変更可能に縮小される。
【００２９】
（２）レンジフードの作用：
次に、本レンジフードの作用について説明する。
運転切替スイッチ５２が「中」にされたとき、モータ４０がファン３０を回転駆動すると、ファン３０は排気流路２０内の空気を室外方向へ送り出す。すると、室内の空気は、まず、フィルタ１２を通過して浮遊粒子が除去され、吸引口２１から排気流路２０内に取り込まれて、排気流路２０内を移動し、開閉弁６１が設けられた部分を通過して、排気口２２から排出される。ここで、図６の上段に示したように「中」設定では排気流路２０内を流れる空気の風圧により開閉弁６１が上側のストッパ部材６０ｂに当接するので、排気流路２０の流路断面積は最大となる。従って、排気口２２から排出される空気の流量は、排気流路２０内に流路断面積調節機構が存在することによってはほとんど制限されず、流路断面積調節機構が設けられていない場合におけるファン３０の送風量とほぼ同じになる。
【００３０】
運転切替スイッチ５２が「微弱」に切り替えられたとき、モータ４０は回転速度の下限でファン３０を回転駆動する。このとき、ファン３０は、排気流路２０の内部において風量の下限で空気を送り出す。室内の空気は、フィルタ１２を通過して排気流路２０内に取り込まれ、開閉弁６１が設けられた部分を通過し、排気口２２から排出される。ここで、図６の下段に示したように「微弱」設定になると開閉弁６１の重量バランスにより開閉弁６１は下側のストッパ部材６０ｃに当接するので、排気流路２０の流路断面積は小さくなる。流路断面積が縮小されると、排出される空気の流量は、流路断面積調節機構が設けられていない場合においてモータ４０が回転速度の下限でファン３０を回転駆動するときのファン３０の送風量（２００ｍ3／ｈ程度）よりも少なくなる。従って、排気量をファンの送風量の下限よりも少なくさせる（例えば、１５０ｍ3／ｈ以下）ことが可能となる。ここで、モータに対して複雑な通電制御を行う必要なく、排気流路の断面積を縮小させるという簡易な構成で、従来の排気量の下限よりも少ない排気量にさせることが可能となる。また、開閉弁を開閉させるための動力を用いた機構が不要であるので、流路断面積調節機構を安価にて構成することができる。
【００３１】
さらに、運転切替スイッチ５２が「極弱」に切り替えられたとき、モータ４０への通電が回転制御機構５０により繰り返しオンオフされ、モータ４０は常時通電されたときの回転速度の下限よりも低い回転速度でファン３０を回転駆動する。このとき、ファン３０は、排気流路２０の内部においてさらに少ない風量で空気を送り出す。室内の空気は、フィルタ１２を通過して排気流路２０内に取り込まれ、開閉弁６１が設けられた部分を通過し、排気口２２から排出される。ここで、「極弱」設定になっても重量バランスにより開閉弁６１は下側のストッパ部材６０ｃに当接したままであるので、排気流路２０の流路断面積は小さくされたままとなる。流路断面積が縮小されていると、排出される空気の流量は、流路断面積調節機構が設けられていない場合においてモータ４０が上記通電制御時の回転速度でファン３０を回転駆動するときのファン３０の送風量（１００ｍ3／ｈ程度）よりも少なくなる。このように、モータに対して上記通電制御を行うことにより排気量はある程度少なくなるが、排気流路の流路断面積が縮小されることによりさらに排気量は少なくなる（例えば、７０ｍ3／ｈ以下）。従って、建築基準法に定められた換気条件を確保しながら、簡易な構成で、従来の排気量の下限よりも少ない排気量にさせることが可能となる。
また、モータへの常時通電時に排気流路の流路断面積を縮小させると排気量が少なくなるが、モータに対する上記通電制御を行うことによりさらに排気量が少なくなる。言い換えると、排気流路の流路断面積を縮小させることと、モータへの上記通電制御を行うこととの両方を組み合わせることによってのみ、さらに排気量が減少する。
【００３２】
なお、本発明のレンジフードは、様々な変形例が考えられる。例えば、上記流路断面積調節機構６０と同様の構造の流路断面積調節機構を吸引口に設けてもよい。この場合であっても、容易に流路断面積調節機構を含む部分をユニット化することができるので、レンジフードに流路断面積調節機構を組み込みやすくなる。むろん、流路断面積調節機構を吸引口と排気口の両方に設けてもよいし、吸引口と排気口以外の排気流路に設けてもよい。
ここで、排気口に流路断面積調節機構を設けると、当該機構を吸引口に設けた場合と比べて室内に音が響き難くなる点で有用である。一方、吸引口に流路断面積調節機構を設けると、当該機構を排気口に設けた場合と比べて雨や虫の侵入対策をとる必要がない点で有用である。
【００３３】
また、図７と図８に示すように、下側のストッパ部材６２の位置を変更可能としてもよい。なお、図７は変形例において排気流路内に設けられた流路断面積調節機構６０を室外側から見て示す斜視図であり、図８はストッパ部材６２とストッパ部材固定用穴６０ｄとを拡大して示す斜視図である。なお、上述した実施形態と構成が概略同じものについては、同じ符号を付して説明を省略する。以下も、同様である。
図に示すように、ストッパ部材６２は例えばステンレスにて垂直断面においてコ字形に形成され、排気口形成部材２２ａとは別体とされている。断面コ字形のストッパ部材６２は閉口側の基部６２ａと開口側の一対の端部６２ｂ，ｃとを有しており、両端部６２ｂ，ｃは互いに平行とされている。
【００３４】
一方、排気口形成部材２２ａには、上記一対の端部６２ｂ，ｃを貫通させてストッパ部材６２を固定可能な複数（三以上）の貫通穴６０ｄ１からなるストッパ部材固定用穴６０ｄが形成されている。各貫通穴６０ｄ１は、左右方向において両端部６２ｂ，ｃの幅Ｂ１よりごく僅かに広い幅とされるとともに、上下方向において各端部６２ｂ，ｃの厚みよりごく僅かに長くしてある。また、各貫通穴６０ｄ１どうしの間隔は、両端部６２ｂ，ｃの間隔と同じにしてある。
そして、各部６０ａ，ｂ、ストッパ部材６２から角度調節機構が構成される。
【００３５】
以上の構成により、全貫通穴６０ｄ１の中から隣り合う二つの貫通穴６０ｄ１に一対の端部６２ｂ，ｃを挿入し、基部６２ａを排気口形成部材２２ａに当接させると、ストッパ部材６２はストッパ部材固定用穴６０ｄの部分において排気口形成部材２２ａに対して位置を変更可能に取り付けられる。排気流路の内部において位置を変更可能にストッパ部材６２を設けることにより、開閉弁６１の流量減少角度が変更されて「微弱」ないし「極弱」設定時の排気流路の流路断面積を変えることができる。従って、簡易な構造で、排気量を調節することが可能となり、利便性を向上させることができる。
【００３６】
また、図９に示すように、開閉弁６１と排気口形成部材２２ａとの間に力を加える付勢機構６３ａ〜ｃを設けてもよい。同図は、別の変形例において排気流路内に設けられた流路断面積調節機構６０を室外側から見て示す斜視図である。上段は開閉弁６１が所定の開位置Ｌ１にあるときの様子を示してあり、下段は開閉弁６１が所定の閉位置Ｌ３にあるときの様子を示している。ここで、閉位置Ｌ３は、排気流路が最も閉じられる開閉弁６１の位置である。そして、開閉弁６１は、開位置Ｌ１と閉位置Ｌ３との間で空気の通過方向を基準とした角度を変更可能とされている。
【００３７】
図に示すように、排気口形成部材２２ａの内側面の下部から上方に向かって第一の掛止部材６３ｂが突設されるとともに、開位置Ｌ１を基準として開閉弁６１の空気流出側となる先端部６１ｃ近傍の下面から下方に向かって第二の掛止部材６３ｃが突設されている。開閉弁の先端部６１ｃ近傍には空気の通過方向に向けて長くされた長穴６１ｅが形成されており、掛止部材６３ｃは長穴６１ｅの部分において開閉弁６１に対してねじにより位置を変更可能に取り付けられている。そして、弾性部材であるつる巻きばね（付勢部材）６３ａは、伸ばされた状態で一端が掛止部材６３ｂに掛止され、他端が掛止部材６３ｃに掛止されている。開閉弁６１が開位置Ｌ１にある状態において、ばね６３ａは開閉弁の先端部６１ｃ近傍を閉位置Ｌ３方向に付勢力Ｆ１で付勢する。本変形例では、「中」以上の排気量で開閉弁６１が上側のストッパ部材６０ｂに接触するようにばね６３ａの強さを設定して付勢力を決定している。
そして、各部６０ａ，ｂ、６３ａ〜ｃから角度調節機構が構成される。むろん、上述したストッパ部材を設けてもよい。
【００３８】
運転切替スイッチ５２が「微弱」ないし「極弱」にされたとき、モータ４０により回転駆動されるファン３０により流れていく空気の中でばね６３ａが開閉弁６１を閉位置Ｌ３方向に付勢するため、開閉弁６１は、流れる空気からの風圧とばね６３ａからの付勢力とがつり合う角度にされる。これにより、開閉弁６１は流量減少角度に規制されて流量制限位置とされ、排気流路の流路断面積を縮小させる。すなわち、ばね６３ａは、流れていく空気の中で開閉弁を閉位置方向に付勢して流量減少角度に規制して排気流路の流路断面積を縮小させている。ここで、流量制限位置は、開位置と閉位置との間で排気量を開位置にあるときの流量よりも少なくさせる位置である。
以上の構成により、掛止部材６３ｃの位置を変更すると、ばね６３ａから開閉弁６１に加えられる付勢力が変わるので、開閉弁６１の流量減少角度が変更されて「微弱」ないし「極弱」設定時の排気流路の流路断面積を変えることができる。また、ばね６３ａの種類を変更することによっても、ばね６３ａから開閉弁６１に加えられる付勢力が変わるので、開閉弁６１の流量減少角度が変更されて「微弱」ないし「極弱」設定時の排気流路の流路断面積が変わる。従って、簡易な構造で、排気量を調節することが可能となり、利便性を向上させることができる。
【００３９】
さらに、図１０に示すように、開閉弁６１に力を加える付勢機構６４ａ，ｂを設けてもよい。同図は、別の変形例において排気流路内に設けられた流路断面積調節機構６０を室外側から見て示す斜視図である。図示の都合上、上段、下段ともに開閉弁６１が所定の流量制限位置にあるときの様子を示している。本変形例ではストッパ部材が設けられていないため、開閉弁６１は、所定の開位置（Ｌ１）と所定の閉位置（Ｌ３）との間で空気の通過方向を基準とした角度を変更可能とされている。
図に示すように、開閉弁の先端部６１ｃ近傍には空気の通過方向に向けて長くされた長穴６１ｆが形成されており、雄ねじ６４ａと雌ねじ６４ｂとが長穴６１ｅの部分において開閉弁６１に対して位置を変更可能に取り付けられるようになっている。ねじ６４ａ，ｂは、おもりとして用いられており、開閉弁の先端部６１ｃ近傍を閉位置方向に付勢する。本変形例では、「中」以上の排気量で開閉弁６１が上側のストッパ部材６０ｂに接触するようにねじ６４ａ，ｂの重量を設定して付勢力を決定している。
そして、各部６０ａ，ｂ、６４ａ，ｂから角度調節機構が構成される。むろん、上述したストッパ部材を設けてもよい。
【００４０】
運転切替スイッチ５２が「微弱」ないし「極弱」にされたとき、モータ４０により回転駆動されるファン３０により流れていく空気の中でねじ６４ａ，ｂが開閉弁６１を閉位置Ｌ３方向に付勢するため、開閉弁６１は、流れる空気からの風圧とねじ６４ａ，ｂからの付勢力とがつり合う角度にされる。これにより、開閉弁６１は流量減少角度に規制されて流量制限位置とされ、排気流路の流路断面積を縮小させる。すなわち、ねじ６４ａ，ｂは、流れていく空気の中で開閉弁を閉位置方向に付勢して流量減少角度に規制して排気流路の流路断面積を縮小させている。
以上の構成により、ねじ６４ａ，ｂの位置を変更すると、ねじ６４ａ，ｂから開閉弁６１に加えられる付勢力が変わるので、開閉弁６１の流量減少角度が変更されて「微弱」ないし「極弱」設定時の排気流路の流路断面積を変えることができる。従って、簡易な構造で、排気量を調節することが可能となり、利便性を向上させることができる。
【００４１】
さらに、開閉弁自体を空気の通過可能な孔が多数形成されたフィルタとし、同開閉弁を上記開位置と上記閉位置との間で位置を変更可能な構成としてもよい。この場合、流路断面積は閉位置で最も小さくなるが、同閉位置でも排気流路内の空気がフィルタの穴を通り抜けるため、簡易な構造で、モータにより回転駆動されるファンの送風量の下限よりも少ない排気量にすることが可能となる。
【００４２】
（３）第二の実施形態：
図１１は第二の実施形態のレンジフード１１０を正面から見て示す断面図であり、図１２と図１３は排気流路１２０内に設けられた流路断面積調節機構１６０を室外側から見て示す斜視図である。図１２の上段は開閉弁１６１が所定の開位置Ｌ１１にあるときの様子を示してあり、下段は開閉弁１６１が所定の閉位置Ｌ１３にあるときの様子を示している。図１３の上段は開閉弁１６１が所定の流量制限位置Ｌ１２にあるときの様子を示してあり、下段は開閉弁１６１の角度を制御するサーボ機構１６２の構成の概略を示している。
本レンジフード１１０は、図示しないフードカバーに運転切替スイッチ等が取り付けられるとともに、同フードカバー内に、フィルタ、排気流路１２０、ファン３０、モータ４０、回転制御機構、流路断面積調節機構１６０、等が設けられている。ファン３０、モータ４０、回転制御機構、フィルタの構成は、第一の実施形態と同じである。
【００４３】
本排気流路１２０は上記排気流路２０と概略同じ筒状に形成されており、室内の空気を取り込むための吸引口１２１が室内側に設けられるとともに、取り込まれた空気を室外に排出するための排気口１２２が室外側に設けられている。吸引口１２１を形成する吸引口形成部材１２１ａは、円筒状に形成され、空気が前側から後方向へ通り抜けるようになっている。流路断面積調節機構１６０は、吸引口形成部材１２１ａの内部に設置され、同部材１２１ａとともにユニット化されている。本流路断面積調節機構１６０も、排気流路１２０の流路断面積を変更可能であるとともに、同流路断面積を縮小させたときに、排気量を、モータ４０がファン３０を回転駆動可能な回転速度の下限でファン３０を回転駆動するときのファン３０の送風量よりも少なくさせるように構成されている。
なお、流路断面積調節機構を吸引口に設けることにより、容易に流路断面積調節機構を含む部分をユニット化することができるので、レンジフードに流路断面積調節機構を組み込みやすくなる。
【００４４】
以上の構成により、フィルタを通過した室内の空気は、後方向に向かって円形の吸引口１２１から排気流路１２０内に流入し、順に流路断面積調節機構１６０、ファン３０の部分を通過して、排気口１２２から室外へ流れ出るようになっている。
【００４５】
吸引口形成部材１２１ａの内側面から空気流路内方向であって空気の通過方向とは垂直な方向に向かって円柱状の軸部材１６０ａ（図１２の左側）が突出している。また、サーボ機構１６２から吸引口形成部材１２１ａを貫通して空気流路内方向であって空気の通過方向とは垂直な方向に向かって円柱状の軸部材１６２ｃ（図１２の左側）が突出している。これらの軸部材１６０ａ，１６２ｃの突出方向は、互いに同じ直線上とされている。
開閉弁６１は、第一の実施形態と同様の形状とされており、本体部１６１ａから垂直上向きに折り曲げられた凸部１６１ｂ（図１２では左側）、凸部１６１ｅ（図１２では右側）が突設されており、凸部１６１ｂには軸部材１６０ａを挿入可能な貫通穴が形成され、凸部１６１ｅは軸部材１６２ｃに固定されている。これにより、開閉弁１６１は、排気流路の吸引口形成部材１２１ａに対して回転可能に支持され、排気流路内で空気の通過方向を基準とした角度を変更可能とされており、その結果、排気流路の流路断面積を変更可能としている。
【００４６】
開閉弁１６１は、第一の実施形態と同様の開位置Ｌ１１と、第一の実施形態の変形例と同様の閉位置Ｌ１３と、排気口から排出させる空気の流量を開位置Ｌ１１にあるときの流量よりも少なくさせる流量制限位置Ｌ１２と、の間で位置を変更可能とされている。本実施形態ではストッパ部材を用いずに、サーボ機構１６２により開閉弁の角度（位置）を決定する。すなわち、サーボ機構１６２と軸部材１６０ａとから角度調節機構が構成され、サーボ機構１６２と軸部材１６０ａと開閉弁１６１とから流路断面積調節機構１６０が構成される。
【００４７】
図１３の下段に示すように、サーボ機構１６２は、サーボモータ１６２ａ、同サーボ機構１６２に接続されて回転駆動される減速ギヤ１６２ｂ、同減速ギヤ１６２ｂに接続されて回転可能とされた軸部材１６２ｃ、商用交流電源から電力を供給されてサーボモータ１６２ａの動作を制御する制御回路１６２ｄ、同制御回路１６２ｄに接続されて運転切替スイッチの排気量設定「強」、「中」、「微弱」、「極弱」の各押ボタンスイッチの動作に連動するスイッチ群１６２ｅ、等を備えている。制御回路１６２ｄは、スイッチ群１６２ｅの各スイッチがオン（導通状態）であるかオフ（非導通状態）であるかを検出可能である。なお、サーボモータは、ステッピングモータでもよい。
【００４８】
運転切替スイッチの押ボタンスイッチのいずれもが押されていないときには、スイッチ群１６２ｅがいずれもオフにされる。制御回路１６２ｄはスイッチ群１６２ｅがいずれもオフにされていることを検出すると、開閉弁１６１を閉位置Ｌ１３にさせる信号をサーボモータ１６２ａに対して出力する。運転切替スイッチの「強」または「中」の押ボタンスイッチが押されているときには、スイッチ群１６２ｅのうち対応する「強」用または「中」用のスイッチのみがオンとされる。制御回路１６２ｄはスイッチ群１６２ｅのうち「強」用または「中」用のスイッチがオンにされていることを検出すると、開閉弁１６１を開位置Ｌ１１にさせる信号をサーボモータ１６２ａに対して出力する。運転切替スイッチの「微弱」または「極弱」の押ボタンスイッチが押されているときには、スイッチ群１６２ｅのうち対応する「微弱」用または「極弱」用のスイッチのみがオンとされる。制御回路１６２ｄはスイッチ群１６２ｅのうち「微弱」用または「極弱」用のスイッチがオンにされていることを検出すると、開閉弁１６１を流量制限位置Ｌ１２にさせる信号をサーボモータ１６２ａに対して出力する。
サーボモータ１６２ａは、入力された信号に基づいて減速ギヤ１６２ｂを回転駆動して軸部材１６２ｃを回転させ、開閉弁１６１の角度を入力された信号に対応する位置の角度にさせる。
【００４９】
次に、本レンジフードの作用について説明する。
運転切替スイッチが「中」にされたとき、制御回路１６２ｄにより開閉弁１６１は開位置Ｌ１１にされ、排気流路１２０の流路断面積は最大となる。そして、モータ４０がファン３０を回転駆動し、ファン３０は排気流路２０内の空気を室外方向へ送り出す。すると、室内の空気は、フィルタを通過して吸引口１２１から排気流路１２０内に取り込まれ、開閉弁１６１が設けられた部分を通過して、排気流路１２０内を移動し、排気口１２２から排出される。ここで、開閉弁１６１が設けられた部分の排気流路の流路断面積は最大であるので、排気口１２２から排出される空気の流量は、排気流路内に流路断面積調節機構が存在することによってはほとんど制限されない。
【００５０】
運転切替スイッチが「微弱」ないし「極弱」に切り替えられたとき、制御回路１６２ｄにより開閉弁１６１は流量制限位置Ｌ１２にされ、排気流路１２０の流路断面積は小さくなる。モータ４０は回転速度の下限でファン３０を回転駆動し、ファン３０が排気流路１２０の内部において風量の下限で空気を送り出す。室内の空気は、フィルタを通過して排気流路１２０内に取り込まれ、開閉弁１６１が設けられた部分を通過し、排気口１２２から排出される。ここで、流路断面積が縮小されているので、排出される空気の流量は、流路断面積調節機構が設けられていない場合においてモータ４０が回転速度の下限でファン３０を回転駆動するときのファン３０の送風量よりも少なくなる。従って、モータに対して複雑な通電制御を行う必要なく、排気流路の断面積を縮小させるという簡易な構成で、従来の排気量の下限よりも少ない排気量にさせることが可能となる。
排気量設定が「極弱」の場合、排気流路の流路断面積を縮小させることと、モータへの上記通電制御を行うこととの両方を組み合わせることによって、さらに排気量が減少する。
【００５１】
第二の実施形態においても、様々な変形例が考えられる。例えば、図１４と図１５に示すように、前後方向に向けられた所定の支軸１６３ａに対して同支軸１６３ａを回転中心として回転可能に取り付けられた楕円形状の開閉弁１６３と、この開閉弁１６３を所定の回転位置に動作させるアクチュエータ１６４と同アクチュエータ１６４の動作を制御する制御回路等からなる位置調節機構と、から流路断面積調節機構を構成してもよい。なお、図１４は開閉弁１６３が所定の開位置にあるときのレンジフード１１０を正面から見て示す断面図であり、図１５は開閉弁１６３が所定の閉位置にあるときのレンジフード１１０を正面から見て示す断面図である。
アクチュエータ１６４は、前後方向に向けられた所定の支軸１６４ａに対して同支軸１６４ａを回転中心として回転可能に取り付けられている。また、アクチュエータ１６４の可動軸１６４ｂの先端は、開閉弁１６３に形成された掛止部１６３ｂに対して回転可能に取り付けられている。ここで、掛止部１６３ｂは開閉弁１６３において支軸１６３ａのある箇所とは反対側の位置に設けられているため、制御回路の制御によりアクチュエータ１６４が可動軸１６４ｂを所定の長距離位置まで伸ばすと図１５に示すように開閉弁１６３は閉位置とされ、アクチュエータ１６４が可動軸１６４ｂを所定の短距離位置まで縮めると図１４に示すように開閉弁１６３は開位置とされる。
【００５２】
以上の構成によっても、開閉弁１６３が閉位置にされると、排気流路１２０の流路断面積は小さくなり、排気量は、モータが回転速度の下限でファンを回転駆動するときの同ファンの送風量よりも少なくなる。従って、モータに対して複雑な通電制御を行う必要なく、簡易な構成で、モータにより回転駆動されるファンが送り出す空気の風量の下限よりも少ない排気量にすることが可能となる。
【００５３】
（４）第三の実施形態：
流路断面積調節機構を排気口に設ける場合、室外からの虫の侵入を防ぐことができると好適である。
図１６は、第三の実施形態において、排気流路２０内に設けられた流路断面積調節機構２６０を室外側から見て示す斜視図である。本流路断面積調節機構２６０は第一の実施形態の流路断面積調節機構６０の代わりに排気口２２に設けられたものであり、第一の実施形態と構成が同じものについては同じ符号を付して説明を省略する。
開閉弁６１には、凸部６１ｂ，６１ｂから先端部６１ｃ側の縁部と、排気口形成部材２２ａの内側面と、の間に多数の孔を有する第一のフィルタ２６２が取り付けられている。また、凸部６１ｂ，６１ｂから基部６１ｄ側の縁部と、排気口形成部材２２ａの内側面と、の間に多数の孔を有する第二のフィルタ２６３が取り付けられている。これらのフィルタ２６２，２６３は、排気流路内の空気を通過させるとともに、虫を通過させないメッシュ（例えば、網の隙間が０．２〜１ｍｍ）とされ、室外からの虫の侵入を防ぐようになっている。フィルタ２６２，２６３は柔らかい素材とされているため、開閉弁１６３は所定の開位置（Ｌ１）と所定の流量制限位置（Ｌ２）との間で位置を変更可能とされている。
【００５４】
常時換気を行うと、開閉弁は排気量が少なくても少し開いた状態となる。開閉弁にフィルタ２６２，２６３を取り付けたことにより、排気流路内の空気は開閉弁が設けられた部分を通過する一方、開閉弁が開いた状態であっても室外の虫はフィルタを通り抜けないので、換気を行いながら室外の虫が室内へ侵入しない。従って、より確実に室外からの虫の侵入を防ぐことが可能となる。
以上説明したように、本発明によると、種々の態様により、有用なレンジフードを提供することができる。
【図面の簡単な説明】
【００５５】
【図１】第一の実施形態にかかるレンジフードの外観を示す斜視図。
【図２】レンジフードを図１のＡ１方向から見て示す断面図。
【図３】レンジフードの電気回路の構成の概略を示す回路図。
【図４】回転制御回路の回路の構成を示す回路図。
【図５】排気流路に設けられた流路断面積調節機構を室外側から見て示す斜視図。
【図６】図５のＡ２方向から見て示す断面図。
【図７】変形例において排気流路に設けられた流路断面積調節機構を室外側から見て示す斜視図。
【図８】ストッパ部材とストッパ部材固定用穴とを拡大して示す斜視図。
【図９】別の変形例において排気流路に設けられた流路断面積調節機構を室外側から見て示す斜視図。
【図１０】別の変形例において排気流路に設けられた流路断面積調節機構を室外側から見て示す斜視図。
【図１１】第二の実施形態のレンジフードを正面から見て示す断面図。
【図１２】排気流路に設けられた流路断面積調節機構を室外側から見て示す斜視図。
【図１３】排気流路に設けられた流路断面積調節機構を室外側から見て示す斜視図。
【図１４】開閉弁が開位置にあるときのレンジフードを正面から見て示す断面図。
【図１５】開閉弁が閉位置にあるときのレンジフードを正面から見て示す断面図。
【図１６】第三の実施形態において排気流路に設けられた流路断面積調節機構を室外側から見て示す斜視図。
【符号の説明】
【００５６】
１０，１１０…レンジフード
２０，１２０…排気流路
２１，１２１…吸引口
２２，１２２…排気口
２２ａ…排気口形成部材
３０…ファン
４０…モータ
５０…回転制御機構
５１…回転制御回路
５２…運転切替スイッチ
６０，１６０，２６０…流路断面積調節機構
６０ｃ，６２…ストッパ部材
６０ｄ…ストッパ部材固定用穴
６１，１６１，１６３…開閉弁
６１ｅ…長穴
６３ａ…つる巻きばね（付勢部材）
６４ａ，ｂ…ねじ（付勢部材）
１２１ａ…吸引口形成部材
１６２…サーボ機構
２６２，２６３…フィルタ
Ｌ１，Ｌ１１…開位置
Ｌ２，Ｌ１２…流量制限位置
Ｌ３，Ｌ１３…閉位置
【図１】
2005090783.tif 000003
【図２】
2005090783.tif 000004
【図３】
2005090783.tif 000005
【図４】
2005090783.tif 000006
【図５】
2005090783.tif 000007
【図６】
2005090783.tif 000008
【図７】
2005090783.tif 000009
【図８】
2005090783.tif 000010
【図９】
2005090783.tif 000011
【図１０】
2005090783.tif 000012
【図１１】
2005090783.tif 000013
【図１２】
2005090783.tif 000014
【図１３】
2005090783.tif 000015
【図１４】
2005090783.tif 000016
【図１５】
2005090783.tif 000017
【図１６】
2005090783.tif 000018